(57)【要約】【課題】  ターボがフィードバックする場合の抵抗力を減少し、更に流力発電機の流力が不足する場合の発電パワーを向上可能な増圧排流カバーを有する流体応力発電機を提供する。【解決手段】  流体応力発電機のターボ１０３外部の周りに排流カバー１０２を設けている。増圧排流カバー１０２で両側の一方又は両側に、それぞれ正圧を増加するアーク形状の引入れガイドベーン１１１又は、負圧を増加するアーク形状の引入れガイドベーン１１２を設ける。正圧を増加するアーク形状の引入れガイドベーン１１１により、増圧の効果を生じさせる。負圧を増加するアーク形状の引入れガイドベーン１１２によりフィードバックの抵抗力を減少させ、流動する気流又は液体は、増圧排流カバー１０２の徐々に圧縮する構造にガイドされ、増圧の効果を生じさせる。流動応力発電機１０１の流動応力が不足しているとき、パワーを向上可能である。【選択図】    図１
2005273497.tif 000002
【特許請求の範囲】
【請求項１】
増圧排流カバーを有する流体応力発電機であって、流体応力発電機のターボに増圧排流カバー（１０２）を加えて設け、
前記増圧排流カバーは、流体の力を受ける方向に従う尾翼（１１３）を有する構造であり、それを流体応力発電機を駆動する自動的に方向に従うターボの外部の周りに設けることで、流動の気流又は液体などの流体が増圧排流カバーに設けられている正圧を増加するアーク形状の引入れガイドベーン（１１１）の構造にガイドされ、力を受ける側を駆動して正圧を増加する効果を生じさせ、ターボベーンに対する駆動力を増加させ、又は、負圧を増加するアーク形状の引入れガイドベーン（１１２）を設けることで、ターボのフィードバック側に負圧を増加する効果を生じさせて、ターボのフィードバックの抵抗力を減少させ、流体応力発電機ターボの駆動力を増加することで、流体応力が不足の場合、発電量を提供可能であることを特徴とする増圧排流カバーを有する流体応力発電機。
【請求項２】
増圧排流カバーを有する流体応力発電機であって、ターボ（１０３）、及び増圧排流カバー（１０２）、発電機（１０１）、その他回転軸及びケースベアリング等を含む常態パーツで構成され、
増圧排流カバー（１０２）は正圧を増加するアーク形状の引入れガイドベーン（１１１）と、負圧を増加するアーク形状の引入れガイドベーン（１１２）と、少なくとも１セットの方向に従う尾翼（１１３）の構造と、リングベース（１１４）に自由に回転してマッチングするパーツ等で構成された殻形状の構造であり、その方向に従う尾翼（１１３）は垂直プレート形状を呈することで、流体の流動方向と時計回り方向を呈し、その底部の前端は伸びて、殻形状の構造となり、さらにリングベース（１１４）に伸び、そのリングベースはターボ軸（１１５）にカップリングされ、増圧排流カバー（１０２）は流体の流動方向に従って自動的に時計回り方向に従う回転を行ない、
その殻形状の両側の一方又は両側に、それぞれアーク形状の引入れガイドベーンが設けられ、その中で一方は、正圧を増加するアーク形状の引入れガイドベーン（１１１）で流動流体に向かいあい、流体の正圧を増加するアーク形状の引入れガイドベーン（１１１）の内側に流れる場合、正圧を増加するアーク形状の引入れガイドベーン（１１１）の徐々に圧縮する構造にガイドされ、同時に、流動の流体に増圧の効果を生じさせ、
更に、増圧された流体をターボ（１０３）が流体駆動する側を受けるベーンに送ることで、ターボ（１０３）の回転を駆動させ、又、流体を通過する場合、ターボ（１０３）の別の側からフィードバックしたベーンは別のセットの増加するアーク形状の引入れガイドベーン（１１２）と一緒に、ターボ（１０３）のフィードバック側のベーンと負圧を形成して、ターボ（１０３）の別の側のフィードバックの抵抗力を減少可能とし、
ターボ（１０３）は、ややボール形状を呈し、その周りは複数個のアーク形状のベーンで構成され、又、ベーンと正圧を増加するアーク形状の引入れガイドベーン（１１１）によって、前が大きくて後が小さい隙間を形成することで、流体に向かえって正圧を増加する効果が形成されるので、力を受ける側の駆動力が増加可能となり、又、負圧を増加するアーク形状の引入れガイドベーン（１１２）は、ベーンが流体を迎える方向と前が小さくて後が大きい隙間を形成することで負圧を増加し、ターボのフィードバック側がフィードバックを行なう場合の抵抗力が減少可能となり、更に、流体がターボ（１０３）を駆動して回転させることで、発電機を連動することに有利となることを特徴とする増圧排流カバーを有する流体応力発電機。
【請求項３】
増圧排流カバーには正圧を増加するアーク形状の引入れガイドプレート（１１１）だけを設けることも可能であることを特徴とする請求項１記載の増圧排流カバーを有する流体応力発電機。
【請求項４】
増圧排流カバーには負圧を増加するアーク形状の引入れガイドプレート（１１２）だけを設けることも可能であることを特徴とする請求項１記載の増圧排流カバーを有する流体応力発電機。
【請求項５】
必要に応じて、その排流カバーの入口側に保護ネット（１１６）を加えて設けることを特徴とする請求項１〜４のいずれか一項に記載の増圧排流カバーを有する流体応力発電機。
【発明の詳細な説明】
【技術分野】
【０００１】
本発明は、増圧排流カバーを有する流体応力発電機に関する。
【背景技術】
【０００２】
従来のターボ駆動式発電機のターボは方向を定めることが必要ではないので、構造が簡単、コストが低く、体積が小さいので、その応用が広い。業者の設計する各種の流体応力で駆動するターボ駆動式発電機について、そのターボ構造は複数個のアーク形状のベーンで構成され、更に、わずかにボール形状を呈する。流動の気流又は液体の流動応力によって、力を受ける側のターボベーンを駆動する。
【発明の開示】
【発明が解決しようとする課題】
【０００３】
しかしながら、流体がより小さい抵抗力を呈するファイバック側からフィードバックすることで、ターボ駆動式の発電機を回転させて発電機能を生じられるが、その駆動側の駆動力をフィードバック側の抵抗力と相互に相殺することはその欠点である。
上述の設計を実際に運用する欠点は、流体応力が不足する場合、ターボ駆動式発電機のパワーがより低いことである。
【０００４】
したがって本発明の目的は、ターボがフィードバックする場合の抵抗力を減少し、更に流力発電機の流力が不足する場合の発電パワーを向上可能な増圧排流カバーを有する流体応力発電機を提供することにある。
【課題を解決するための手段】
【０００５】
上述の目的を達成するために本発明の請求項に記載の増圧排流カバーを有する流体応力発電機は、主に自動的に方向に従って増圧する排流カバーを流対応力発電機のターボの外部の周りに設けている。その排流カバーによって、気流が圧縮されてガイドすることが可能となり、力を受ける側に駆動して正圧を増加することで増圧の効果を生じさせる。これによりターボベーンの駆動力を増加可能となり、フィードバック側に負圧を増加する効果が生じるので、ターボがフィードバックする場合の抵抗力を減少可能である。更に流力発電機の流力が不足する場合の発電パワーを向上可能である。
【発明を実施するための最良の形態】
【０００６】
以下、本発明の実施例を図面に基づいて説明する。
図１は、本発明の実施例による増圧排流カバーを有する流体応力発電機を示す立体説明図である。図２は、図１の上部から見た説明図で、図３は、図１の側面図である。図１から図３に示すように増圧排流カバーを有する流体応力発電機は、流体応力発電機のターボに増圧排流カバー１０２を加えて設けるのである。その増圧排流カバーは流体の力を受ける方向に従う尾翼１１３を有する構造である。それを流体応力発電機を駆動する自動的に方向に従うターボの外部の周りに設けることで、流動の気流又は液体などの流体は増圧排流カバーに設けられている正圧を増加するアーク形状の引入れガイドベーン１１１の構造にガイドされる。よって、力を受ける側を駆動して、正圧を増加する効果を生じさせることで、ターボベーンに対する駆動力を増加する。又、負圧を増加するアーク形状の引入れガイドベーン１１２を設けることで、ターボのフィードバック側に負圧を増加する効果を生じさせて、ターボのフィードバックの抵抗力を減少して、流体応力発電機ターボの駆動力を増加させる。流体応力が不足の場合、発電量を提供可能であることを特徴とする。
【０００７】
本発明による増圧排流カバーを有する流体応力発電機の実施例では、ターボ１０３、及び増圧排流カバー１０２、発電機１０１、その他回転軸及びケースベアリング等を含む常態パーツで構成される。その特徴は下記の通りである。
増圧排流カバー１０２は正圧を増加するアーク形状の引入れガイドベーン１１１、及び負圧を増加するアーク形状の引入れガイドベーン１１２、少なくとも１セットの方向に従う尾翼１１３の構造、リングベース１１４に自由に回転してマッチングするパーツ等で構成された殻形状の構造である。又、その方向に従う尾翼１１３は垂直プレート形状を呈することで、流体の流動方向と時計回り方向を呈する。その底部の前端は伸びて、殻形状の構造となり、再びリングベース１１４に伸びる。リングベースはターボ軸１１５にカップリングし、増圧排流カバー１０２は流体の流動方向に従って自動的に時計回り方向に従う回転を行なう。その殻形状の両側の一つ側又は両側に、それぞれアーク形状の引入れガイドベーンが設けられ、その中で一方は、正圧を増加するアーク形状の引入れガイドベーン１１１で流動流体に向かっている。流体が正圧を増加するアーク形状の引入れガイドベーン１１１の内側に流れる場合、正圧を増加するアーク形状の引入れガイドベーン１１１の徐々に圧縮する構造にガイドされ、同時に、流動の流体に増圧の効果を生じさせる。更に、増圧された流体をターボ１０３が流体駆動する側を受けるベーンに送ることで、ターボ１０３の回転を駆動させる。又、流体を通過する場合、ターボ１０３の別の側からフィードバックしたベーンは別に一つのセットの増加するアーク形状の引入れガイドベーン１１２と一緒に、ターボ１０３のフィードバック側のベーンと負圧を形成して、ターボ１０３の別一つ側のフィードバックの抵抗力を減少可能とする。
【０００８】
ターボ１０３は一種のややボールに近い形状を呈し、その周りは複数個のアーク形状のベーンで構成されている。又、そのベーンと正圧を増加するアーク形状の引入れガイドベーン１１１によって、前が大きくて後が小さい隙間を形成することで、流体に向かえって正圧を増加する効果が形成されるので、力を受ける側の駆動力が増加可能である。又、負圧を増加するアーク形状の引入れガイドベーン１１２は、ベーンが流体を迎える方向と前が小さくて後が大きい隙間を形成することで、負圧を増加する効果が形成されるので、ターボのフィードバック側がフィードバックを行なう場合の抵抗力が減少可能である。更に、流体がターボ１０３を駆動して回転させることで、発電機を連動することに有利である。
【０００９】
この増圧排流カバーのある流体応力発電機を実施する場合、その増圧排流カバーに同時に正圧を増加するアーク形状の引入れガイドプレート１１１及び負圧を増加するアーク形状の引入れガイドプレート１１２を設けることも可能である。又、増圧排流カバーに正圧を増加するアーク形状の引入れガイドプレート１１１だけを設けることも可能である。図４は、本発明に正圧を増加するアーク形状の引入れガイドプレートだけを設けた実施例の立体図である。図５は、図４の上面図で、図６は、図４の側面図である。図４から図６に示したのは、増圧排流カバーのある流体応力発電機に正圧を増加するアーク形状の引入れガイドプレート１１１だけを設ける構造である。
【００１０】
この増圧排流カバーのある流体応力発電機を実施する場合、その増圧排流カバーのある流体応力発電機に負圧を増加するアーク形状の引入れガイドプレート１１２だけを設けることも可能である。図７は、本発明に負圧を増加するアーク形状の引入れガイドベーンだけを設ける実施例の立体図である。図８は、図７の上面図で、図９は、図７の側面図である。図７から図９に示したのは増圧排流カバーのある流体応力発電機に負圧を増加するアーク形状の引入れガイドプレート１１２だけを設ける構造である。
【００１１】
又、流体に挟んだ異物がターボに入ることを防止するため、必要によって、この増圧排流カバーの入口側に保護ネット１１２を加えて設けられることも本発明の特徴である。
【００１２】
本発明の主要な目的は増圧排流カバーを有する流体応力発電機を提供することにある。それは自動的に方向に従って増圧する排流カバーを流対応力発電機のターボの外部の周りに設けることで、その排流カバーによって、気流が圧縮されてガイドすることが可能となる。力を受ける側に駆動して正圧を増加することで増圧の効果を生じさせて、ターボベーンの駆動力を増加可能とし、フィードバック側に負圧を増加する効果が生じるので、ターボがフィードバックする場合の抵抗力を減少可能である。更に流力発電機の流力が不足する場合の発電パワーを向上可能である。
【図面の簡単な説明】
【００１３】
【図１】本発明の実施例による増圧排流カバーを有する流体応力発電機を示す立体説明図である。
【図２】図１に示した実施例の上面図である。
【図３】図１に示した実施例の側面図である。
【図４】本発明において正圧を増加するアーク形状の引入れガイドプレートだけを設けた実施例を示す立体図である。
【図５】図４に示した実施例の上面図である。
【図６】図４に示した実施例の側面図である。
【図７】本発明に負圧を増加するアーク形状の引入れガイドベーンだけを設けた実施例を示す立体図である。
【図８】図７に示した実施例の上面図である。
【図９】図７に示した実施例の側面図である。
【符号の説明】
【００１４】
１０１  発電機、１０２  増圧排流カバー、１０３  ターボ、１１１  正圧を増加するアーク形状の引入れガイドベーン、１１２  負圧を増加するアーク形状の引入れガイドベーン、１１３  方向に従う尾翼、１１４  リングベース、１１５  ターボ軸、１１６  保護ネット
【図１】
2005273497.tif 000003
【図２】
2005273497.tif 000004
【図３】
2005273497.tif 000005
【図４】
2005273497.tif 000006
【図５】
2005273497.tif 000007
【図６】
2005273497.tif 000008
【図７】
2005273497.tif 000009
【図８】
2005273497.tif 000010
【図９】
2005273497.tif 000011